(57)【要約】【課題】手袋を装着した状態で指全体の寒さを防ぐとともに、指先での細かな作業が可能な手袋を提供することである。【解決手段】手袋１は、本体部２と、５つの指部分３〜７とを有している。本体部２は、装着状態で手の平および甲を覆うものである。５つの指部分３〜７は、その本体部２から延び、かつ装着状態で５本の指のそれぞれの先端まで覆う長さを有している。５つの指部分３〜７の先端には、指の先端を外部へ露出させるための指出し用スリット３ａ〜７ａが設けられている。【選択図】図１
0003170436.tif 000002
【実用新案登録請求の範囲】
【請求項１】
装着状態で手の平および甲を覆う本体部と、
前記本体部から延び、かつ前記装着状態で５本の指のそれぞれの先端まで覆う長さを有する５つの指部分とを備え、
前記５つの指部分の少なくとも１つの先端には、前記指の先端を外部へ露出させるための指出し用スリットが設けられている、手袋。
【請求項２】
前記指出し用スリットの周囲は伸縮性を有するように構成されている、請求項１に記載の手袋。
【請求項３】
前記５つの指部分のすべての先端に、前記指出し用スリットが設けられている、請求項１または２に記載の手袋。
【請求項４】
前記手袋はニット製品である、請求項１〜３のいずれかに記載の手袋。
【請求項５】
前記手袋はカットソー製品である、請求項１〜３のいずれかに記載の手袋。
【考案の詳細な説明】
【技術分野】
【０００１】
本考案は、手袋に関するものである。
【背景技術】
【０００２】
従来、手袋を装着した状態で、指先だけを手袋から出すことのできる手袋が、たとえば実用新案登録第３０８７６１４号公報（特許文献１）、特開２００２−３０２８１６号公報（特許文献２）などに開示されている。
【０００３】
実用新案登録第３０８７６１４号公報には、手袋を装着したままで携帯電話を操作するために、親指、人差指、中指の各側面に一部切口を設けた手袋が開示されている。
【０００４】
また特開２００２−３０２８１６号公報には、手袋を装着したままで携帯電話などのボタン操作をするために、親指部分の内側の根元部分に開き口を作り、親指だけをその開き口から出し入れできる手袋が開示されている。
【先行技術文献】
【特許文献】
【０００５】
【特許文献１】実用新案登録第３０８７６１４号公報
【特許文献２】特開２００２−３０２８１６号公報
【考案の概要】
【考案が解決しようとする課題】
【０００６】
しかしながら、特許文献１および２に記載の手袋では、指先を手袋から出した時に、指の入っていない手袋の指先部分が邪魔となり細かな指先での作業が難しい。
【０００７】
本考案は、上記の課題を鑑みてなされたものであり、その目的は、手袋を装着した状態で指全体の寒さを防ぐとともに、指先での細かな作業が可能な手袋を提供することである。
【課題を解決するための手段】
【０００８】
本考案の手袋は、本体部と、５つの指部分とを備えている。本体部は、装着状態で手の平および甲を覆うものである。５つの指部分は、その本体部から延び、かつ装着状態で５本の指のそれぞれの先端まで覆う長さを有している。５つの指部分の少なくとも１つの先端には、指の先端を外部へ露出させるための指出し用スリットが設けられている。
【０００９】
本考案の手袋によれば、５つの指部分は５本の指のそれぞれの先端まで覆う長さを有しているため、装着状態で冬季に指全体の寒さを防ぐことができる。また指部分の先端に指出し用スリットが設けられているため、その指出し用スリットから指先を出した場合でも手袋の指部分の全体に指が入っている状態である。このため、指先を手袋から出した時に、指の入っていない手袋の指先部分が生じることはなく、その指の入っていない指先部分が作業において邪魔となることもない。よって、手袋を装着した状態で指先での細かな作業が可能となる。
【００１０】
上記の手袋において、指出し用スリットの周囲は伸縮性を有するように構成されている。これにより、装着状態で指出し用スリットから指先を出した場合には、指出し用スリットの周囲が指に沿ってぴったりとフィットし、指先を出した状態を維持することができる。また装着状態において指出し用スリットから指を出さない場合には、指出し用スリットは適度に閉じた状態を維持するため、指先の寒さを防ぐことができる。
【００１１】
上記の手袋において、５つの指部分のすべての先端に、指出し用スリットが設けられている。これにより、作業内容に応じて作業に必要な指のみを適切に選択して指出し用スリットから出すことができる。作業に必要ない指は指全体を手袋の指部分で覆うことができるため、寒さを防ぐことができる。
【００１２】
上記の手袋はニット製品またはカットソー製品である。
【考案の効果】
【００１３】
以上説明したように本考案によれば、手袋を装着した状態で指全体の寒さを防ぐとともに、指先での細かな作業が可能な手袋を得ることができる。
【図面の簡単な説明】
【００１４】
【図１】本考案の一実施の形態における手袋を手に装着した状態での手袋の構成を示す概略正面図である。
【図２】本考案の一実施の形態における手袋を手に装着し、各指の先を指出し用スリットから出した様子を示す概略正面図である。
【考案を実施するための形態】
【００１５】
以下、本実施の形態について図に基づいて説明する。
図１を参照して、本実施の形態の手袋１は、本体部２と、５つの指部分３〜７とを有している。本体部２は、手に装着された状態（装着状態）で手の平および甲を覆うものである。５つの指部分３〜７の各々は、指の付け根に対応する箇所で本体部２に接続され、かつその本体部２から指先に対応する箇所へ向かって延びている。５つの指部分３〜７の各々は、上記装着状態で５本の指のそれぞれの先端まで覆う長さを有している。
【００１６】
５つの指部分３〜７の各々の図１に示す状態での長さについて、親指部分３の長さはたとえば５．５ｃｍ〜７．０ｃｍ、人差指部分４の長さはたとえば６．５ｃｍ〜８．０ｃｍ、中指部分５の長さはたとえば８．０ｃｍ〜９．５ｃｍ、薬指部分６の長さはたとえば７．０ｃｍ〜８．５ｃｍ、子指部分７の長さはたとえば５．５ｃｍ〜７．０ｃｍである。
【００１７】
５つの指部分３〜７の各々の先端には、指の先端を外部へ露出させるための指出し用スリット３ａ〜７ａが設けられている。ここで指部分の先端とは、指の伸びる方向に沿って指の先端に対向する位置である。指出し用スリット３ａ〜７ａの各々の長さは、各指を指出し用スリット３ａ〜７ａから露出したときに指出し用スリット３ａ〜７ａの周囲が各指の周りを適度に締め付けるような寸法に設定されている。また指出し用スリット３ａ〜７ａの各々の周囲は伸縮性を有するように構成されていることが好ましい。
【００１８】
指出し用スリットは、５つの指部分のすべての先端に設けられていてもよいが、５つの指部分の少なくとも１つに設けられていてもよい。指出し用スリットを設ける指部分は、作業内容などに応じて適宜、選ぶことができる。
【００１９】
指出し用スリットは、たとえば手袋を装着した状態でキーボードなどを操作する場合には５つの指部分のすべての先端に設けられていることが好ましい。また指出し用スリットは、スマートフォンなどのようなタッチパネルを有する携帯情報端末を操作する場合には親指と人差し指との２本の先端に設けられていることが好ましく、また携帯電話などのようにテンキーを有する携帯情報端末を操作する場合には親指の先端だけに設けられていてもよい。
【００２０】
上記手袋１はニット（メリヤス）製品であってもよく、カットソー（縫製）製品であってもよい。カットソーとは、編んだ生地を裁断・縫製して作られる衣服のことであり、本明細書において裁断・縫製されないニットと区別される。
【００２１】
次に、本実施の形態の手袋１の使用方法について図２を用いて説明する。
図２を参照して、まず手袋１が使用者の手に装着される。この際、使用者の手の平および甲が手袋１の本体部２の内部に入り、各指が手袋１のそれぞれの指部分３〜７の内部に挿入される。この手袋１を装着した状態で、各指の指先が各指出し用スリット３ａ〜７ａから出される。
【００２２】
この際、手袋１の各指部分３〜７の先端に指出し用スリット３ａ〜７ａが設けられているため、その指出し用スリット３ａ〜７ａから指先を出した場合でも、指部分３〜７の各々の全体に指が入っている状態である。このため、指先を手袋１から出した時に、指の入っていない手袋１の指先部分が生じることはない。指先を手袋１から出した場合、各指部分３〜７は弛んだ状態となる。
【００２３】
また指先を手袋１から出した状態では、指出し用スリット３ａ〜７ａの各々は指の周囲に沿ってぴったりとフィットし、指先を出した状態を維持することができる。
【００２４】
次に、本実施の形態の作用効果について説明する。
本実施の形態の手袋１によれば、５つの指部分３〜７は５本の指のそれぞれの先端まで覆う長さを有しているため、手に手袋１を装着した状態で冬季に指全体の寒さを防ぐことができる。また指部分３〜７の先端に指出し用スリット３ａ〜７ａが設けられているため、その指出し用スリット３ａ〜７ａから指先を出した場合でも指部分３〜７の全体に指が入っている状態である。このため、指先を手袋１から出した時に、指の入っていない手袋の指先部分が生じることはなく、その指の入っていない指先部分が作業において邪魔となることもないため、手袋１を装着した状態で指先での細かな作業が可能となる。
【００２５】
上記の手袋１において、指出し用スリット３ａ〜７ａの周囲は伸縮性を有するように構成されているため、装着状態で指出し用スリット３ａ〜７ａから指先を出した場合には、指出し用スリット３ａ〜７ａの周囲が指に沿ってぴったりとフィットし、指先を出した状態を維持することができる。また装着状態において指出し用スリット３ａ〜７ａから指を出さない場合には、指出し用スリット３ａ〜７ａは適度に閉じた状態を維持するため、指先の寒さを防ぐことができる。
【００２６】
上記の手袋において、５つの指部分３〜７のすべての先端に、指出し用スリット３ａ〜７ａが設けられているため、作業内容に応じて作業に必要な指のみを適切に選択して指出し用スリット３ａ〜７ａから出すことができる。作業に必要ない指は指全体を手袋の指部分で覆うことができるため、寒さを防ぐことができる。
【００２７】
なお図１においては指出し用スリット３ａ〜７ａが分かりやすいように開口した状態で示しているが、実際には上述のとおり指出し用スリット３ａ〜７ａが開き難い編み方となっているため、指出し用スリット３ａ〜７ａの開き方は最小限に抑えられている。
【００２８】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２９】
本考案は、手袋１を装着して防寒性を維持しながら指先での細かな作業が可能な手袋に適用され得る。
【符号の説明】
【００３０】
１  手袋、２  本体部、３〜７  指部分、３ａ〜７ａ  指出し用スリット。
【図１】
0003170436.tif 000003
【図２】
0003170436.tif 000004